(57)【要約】【課題】線路数を削減することによる回路の簡略化及び基板の小型化を図り、且つ部品点数の削減を行うことができる電気炊飯器を提供する。【解決手段】電気炊飯器１は、本体３と、内鍋４と、蓋体５と、加熱手段１５と、入力手段１３と、第１の制御部２１と、表示手段１４と、第２の制御部２２と、送信用信号線２３、受信用信号線２４、クロック信号線２５、及び割り込み信号線２６と、停電検知部１７と、バックアップ電源１８と、を有し、第１の制御部２１は、通常通信モードを、停電通信モードに切り換える通信切換部２１ａを有し、第２の制御部２２は、表示手段１４を制御する。【選択図】図３
2015002944.tif 000002
【特許請求の範囲】
【請求項１】
上面が開口した本体と、
前記本体に着脱自在に設けられ、被炊飯物を収容する内鍋と、
前記本体の前記開口に開閉自在に設けられ、一端が前記本体に軸支される蓋体と、
前記内鍋を加熱する加熱手段と、
前記被炊飯物の調理条件を入力する入力手段と、
前記入力手段で入力された調理条件に基づいて、前記加熱手段に通電する電力を制御する第１の制御部と、
前記入力手段で入力された調理条件を表示する表示手段と、
前記第１の制御部に接続され、前記第１の制御部からの命令に基づいて、前記入力手段で入力された調理条件を、前記表示手段に表示させる第２の制御部と、
前記第１の制御部から前記第２の制御部にデータを送信する送信用信号線、前記第２の制御部からのデータを前記第１の制御部が受信する受信用信号線、前記第１の制御部と前記第２の制御部とを同期させるクロック信号を送信するクロック信号線、及び電力消費が低減される省電力モードに移行させる割り込み信号を送信する割り込み信号線と、
商用電源からの電力の供給が停止されたことを検出する停電検知部と、
前記商用電源からの電力の供給が停止されたときに、前記第１の制御部に、直流電流を供給するバックアップ電源と、を有し、
前記第１の制御部は、
前記停電検知部で前記商用電源からの電力の供給の停止が検出された場合、前記送信用信号線、前記受信用信号線又は前記クロック信号線を介して、前記表示手段の表示情報を通信する通常通信モードを、前記送信用信号線、前記受信用信号線又は前記クロック信号線を介して、停電情報である入出力信号を通信する停電通信モードに切り換える通信切換部を有し、
前記第２の制御部は、
前記第１の制御部からの前記割り込み信号が出力されていない場合、前記表示手段の表示情報に基づいて、前記表示手段を制御し、前記第１の制御部からの前記割り込み信号が出力されている場合、前記入出力信号の出力に基づいて、前記表示手段を制御する
ことを特徴とする電気炊飯器。
【請求項２】
前記第２の制御部は、
複数の前記入出力信号の出力の組み合わせに基づいて、前記表示手段を制御する
ことを特徴とする請求項１記載の電気炊飯器。
【発明の詳細な説明】
【技術分野】
【０００１】
本発明は、制御部を備えた電気炊飯器に関する。
【背景技術】
【０００２】
従来、複数のマイコンを備えた電気炊飯器においては、各マイコン間で、電気炊飯器の状態を示すデータである状態信号及び命令信号の通信が行われている。図１２は、従来の電気炊飯器における各制御部間を接続する線路を示すブロック図である。状態信号及び命令信号の通信において、例えば、図１２に示すように、第１の制御部５１と第２の制御部５２との間で、同期式のシリアル信号の通信を行うためには、少なくとも、第１の制御部５１が第２の制御部５２を制御するための命令信号の送信に用いられる送信用信号線５３、第１の制御部５１からの命令信号が第２の制御部５２に送信された後に第２の制御部５２から送信される応答の受信に用いられる受信用信号線５４、及びデータの読み取りタイミングを同期させるために用いられるクロック信号線５５という３本の通信信号線が必要である。また、これらの３本の通信信号線以外に、割り込み信号線５６が設けられており、この割り込み信号線５６は、電気炊飯器を、電力消費が低減される省電力モードに移行させる割り込み信号の送信に用いられるものである。
【０００３】
上記の３本の通信信号線では、例えば、炊飯の制御工程信号又は入力手段からの入力信号等の通信が行われるが、そのほかに、例えば、温度異常又は停電等の異常事態が発生した場合に送受信される異常信号の通信も行われる。そして、停電時には、電源からの電力の供給が遮断されるため、電解コンデンサ等に予め充電された電圧を用いて、炊飯の制御工程信号又は入力手段からの入力信号等の通信が行われつつ、異常信号のシリアル通信が行われる。このため、通信中に、電解コンデンサ等に充電された電圧が枯渇して、異常信号の通信を適切に行うことができなくなる虞がある。
【０００４】
そこで、図１２に示すように、温度異常又は停電等の異常信号を通信するための専用の線路である第１の保護信号線５７及び第２の保護信号線５８等を設け、これらの線路で、２値（Ｈｉ又はＬｏ）化されたデータからなる入出力信号の通信を行う。これにより、電解コンデンサ等に充電された電圧が枯渇する前に、異常信号の通信を行うことができる。これらの第１の保護信号線５７及び第２の保護信号線５８等としては、例えば、商用電源からの電力の供給が切断されたことを出力する停電検出用の信号線、又は温度検出手段によって温度異常が検知された場合に、この温度異常が発生したことを出力する温度異常検出用の信号線等が設定される。
【０００５】
また、複数のマイコン間のデータ通信における従来技術として、特許文献１〜４が開示されている。このうち、特許文献１には、シリアルクロックとシリアルＩ／Ｏの２本のラインのみでシリアル通信を行う通信方法が開示されている。また、特許文献２には、検出された異常を示す異常信号が、専用の異常信号線によって通信されるコンピュータシステムが開示されている。更に、特許文献３には、２個のマイコン間で、３本の信号線によってシリアル通信が行われる洗濯乾燥機が開示されている。更にまた、特許文献４には、シリアル通信が行われる通信線のほかに、手振れ補正の通信を行うための専用の通信線が設けられたカメラが開示されている。
【先行技術文献】
【特許文献】
【０００６】
【特許文献１】特許第２９６６４１６号公報（請求項１、第１図）
【特許文献２】特許第３３４５０４６号公報（第３頁、図２）
【特許文献３】特開平６−３９１８２号公報（請求項１、図１）
【特許文献４】特開平６−１３８５２９号公報（第３頁、図１）
【発明の概要】
【発明が解決しようとする課題】
【０００７】
しかしながら、従来の電気炊飯器では、温度異常又は停電等の異常信号を通信するための専用の各保護用信号線が配線されているため、線路が多線化して、回路の複雑化及び基板サイズの拡大を招く。また、各マイコンの駆動電圧が異なる場合、電圧変換回路又はその部品等が必要となるため、部品点数の増加等の課題が生じる。更に、特許文献１〜４は、いずれも、これらの問題点について配慮されていない。
【０００８】
本発明は、線路数を削減することによる回路の簡略化及び基板の小型化を図り、且つ部品点数の削減を行うことができる電気炊飯器を提供するものである。
【課題を解決するための手段】
【０００９】
本発明に係る電気炊飯器は、上面が開口した本体と、本体に着脱自在に設けられ、被炊飯物を収容する内鍋と、本体の開口に開閉自在に設けられ、一端が本体に軸支される蓋体と、内鍋を加熱する加熱手段と、被炊飯物の調理条件を入力する入力手段と、入力手段で入力された調理条件に基づいて、加熱手段に通電する電力を制御する第１の制御部と、入力手段で入力された調理条件を表示する表示手段と、第１の制御部に接続され、第１の制御部からの命令に基づいて、入力手段で入力された調理条件を、表示手段に表示させる第２の制御部と、第１の制御部から第２の制御部にデータを送信する送信用信号線、第２の制御部からのデータを第１の制御部が受信する受信用信号線、第１の制御部と第２の制御部とを同期させるクロック信号を送信するクロック信号線、及び電力消費が低減される省電力モードに移行させる割り込み信号を送信する割り込み信号線と、商用電源からの電力の供給が停止されたことを検出する停電検知部と、商用電源からの電力の供給が停止されたときに、第１の制御部に、直流電流を供給するバックアップ電源と、を有し、第１の制御部は、停電検知部で商用電源からの電力の供給の停止が検出された場合、送信用信号線、受信用信号線又はクロック信号線を介して、表示手段の表示情報を通信する通常通信モードを、送信用信号線、受信用信号線又はクロック信号線を介して、停電情報である入出力信号を通信する停電通信モードに切り換える通信切換部を有し、第２の制御部は、第１の制御部からの割り込み信号が出力されていない場合、表示手段の表示情報に基づいて、表示手段を制御し、第１の制御部からの割り込み信号が出力されている場合、入出力信号の出力に基づいて、表示手段を制御することを特徴とする。
【発明の効果】
【００１０】
本発明によれば、通信切換部によって、送信用信号線、受信用信号線又はクロック信号線における通常通信モードを、停電通信モードに切り換え、これらの信号線によって、異常信号の通信を行うことができる。このため、これらの信号線以外に、異常信号の通信を行うための専用の線路を設ける必要がないという効果を奏する。
【図面の簡単な説明】
【００１１】
【図１】実施の形態１に係る電気炊飯器１を示す斜視図である。
【図２】実施の形態１に係る電気炊飯器１を示すブロック図である。
【図３】実施の形態１における各制御部間を接続する線路を示すブロック図である。
【図４】実施の形態１に係る電気炊飯器１の動作を示すフローチャートである。
【図５】実施の形態１における信号の切り換えの動作を示すフローチャートである。
【図６】実施の形態１に係る電気炊飯器１の動作を示すタイミングチャートである。
【図７】第１変形例に係る電気炊飯器１の動作を示すタイミングチャートである。
【図８】第２変形例に係る電気炊飯器１の動作を示すタイミングチャートである。
【図９】実施の形態２における信号の切り換えの動作を示すフローチャートである。
【図１０】実施の形態２における入出力信号の組み合わせを示す図である。
【図１１】実施の形態３に係る電気炊飯器１の動作を示すタイミングチャートである。
【図１２】従来の電気炊飯器における各制御部間を接続する線路を示すブロック図である。
【発明を実施するための形態】
【００１２】
以下、本発明に係る電気炊飯器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１３】
実施の形態１．
図１は、実施の形態１に係る電気炊飯器１を示す斜視図である。この図１に基づいて、電気炊飯器１について説明する。図１に示すように、電気炊飯器１は、上面が開口した直方体状の本体３の内部に、有底円筒状の内鍋４が着脱自在に設けられており、この内鍋４は、被炊飯物を収容するものである。そして、本体３の開口には、蓋体５が開閉自在に設けられており、この蓋体５は、その一端が本体３に軸支されている。また、本体３の側面には、蓋開閉ボタン６が設けられており、蓋体５が閉じている状態で、この蓋開閉ボタン６が押下されることによって、蓋体５が開くようになっている。また、蓋体５の内部には、円形状の内蓋７が取り付けられており、この内蓋７には、蓋センサ８及びカートリッジ９が設けられている。このうち、蓋センサ８は、内鍋４内の温度を検出するものであり、また、カートリッジ９は、被炊飯物の加熱時に発生する蒸気を取り込み、蒸気と、蒸気内に含まれるうまみ成分とを分離するものである。
【００１４】
次に、電気炊飯器１の制御部について説明する。図２は、実施の形態１に係る電気炊飯器１を示すブロック図である。電気炊飯器１において、先ず、直流電源１２は、整流回路、平滑化回路及び定電圧回路からなり、商用電源１１から直流電力を生成するものである。その直流電源１２は、入力手段１３、第１の制御部２１、表示手段１４及び第２の制御部２２に、駆動電力を供給する。入力手段１３は、被炊飯物の調理条件を入力するものであり、第１の制御部２１は、内鍋４を加熱する加熱手段１５に通電する電力を制御するものである。この第１の制御部２１による電力の制御は、入力手段１３で入力された調理条件に基づいて、行われる。加熱手段１５は、例えば誘導加熱コイル（図示せず）で構成する。商用電源１１から直流電源１２とは別に直流電力を生成し、この直流電力をインバーター回路（図示せず）により高周波電流を生成して誘導加熱コイルに供給する。高周波電流を供給された誘導加熱コイルは高周波磁界を発生し、内鍋４の金属壁内にはこの高周波磁界による磁束を打ち消すように渦電流が生じて内鍋４を加熱する。第１の制御部２１は、高周波電流の周波数を変えたり、通電率（デューティ）を変えることにより誘導加熱コイルへ通電される電力を制御する。なお、加熱手段１５は、電熱線（図示せず）で構成してもよい。この場合、商用電源１１の交流電力をリレー（図示せず）を介して電熱線に供給する。第１の制御部２１は、リレーのオンオフの比率を制御して、電熱線へ通電される電力を制御してもよい。更に、電気炊飯器１には、加熱手段１５若しくは内鍋４の底面の温度、内蓋７下方の内鍋４の空間温度又は加熱による空間温度等を検出する温度検出手段１６が設けられており、この温度検出手段１６で検出された温度も、第１の制御部２１における加熱制御のために考慮される。また、表示手段１４は、入力手段１３で入力された調理条件や電気炊飯器１の状態を表示するものである。更に、第２の制御部２２は、第１の制御部２１に接続され、第１の制御部２１からのシリアル通信による命令に基づいて、この表示手段１４に、入力手段１３で入力された調理条件や電気炊飯器１の状態を表示するものである。
【００１５】
また、停電検知部１７は、商用電源１１に接続されており、この停電検知部１７は、商用電源１１から電力が供給されているとき、一定のパルス信号を生成し、このパルス信号を第１の制御部２１に出力する。なお、第１の制御部２１は、このパルス信号の出力がＨｉレベルになる状態が所定時間以上継続すると、すなわち、このパルス信号の出力が所定の時間以上停止すると、商用電源１１からの電力の供給が停止したと判断し、停電を検出する。なお、第１の制御部２１は、このパルス信号の出力がＬｏレベルになる状態が所定時間以上継続すると、商用電源１１から電力の供給が停止したと判断するようにしてもよい。そして、バックアップ電源１８は、商用電源１１からの電力の供給の停止が検出されたときに、第１の制御部２１に、直流電流を供給するものである。また、第１の制御部２１は、第１の制御部２１と第２の制御部２２との間で行われる通信の通信モードを切り換える通信切換部２１ａを備えており、また、第２の制御部２２は、切り換えられた通信手段の信号のレベルを検出し、そのレベルに基づいて表示手段１４を制御する。
【００１６】
次に、第１の制御部２１と第２の制御部２２との間を接続する線路について説明する。図３は、実施の形態１における各制御部間を接続する線路を示すブロック図である。図３に示すように、第１の制御部２１と第２の制御部２２との間には、送信用信号線２３、受信用信号線２４、クロック信号線２５及び割り込み信号線２６という４本の線路が設けられている。このうち、送信用信号線２３は、第１の制御部２１から第２の制御部２２への表示手段１４の表示情報に関する命令信号が送信される線路であり、また、受信用信号線２４は、第２の制御部２２からの応答が第１の制御部２１によって受信される線路である。この第２の制御部２２からの応答は、第１の制御部２１から第２の制御部２２に送信された命令信号に対する応答である。また、クロック信号線２５は、第１の制御部２１と第２の制御部２２とのデータの読み取りタイミングを同期させるクロック信号が送信される線路である。そして、割り込み信号線２６は、電気炊飯器１を、電力消費が低減される省電力モードに移行させる割り込み信号が送信される線路である。このように、通常、送信用信号線２３、受信用信号線２４又はクロック信号線２５では、これらを介して、第１の制御部２１と第２の制御部２２との間で、表示手段１４の表示情報を通信している。これを、通常通信モードと呼称する。通信切換部２１ａは、停電検知部１７で商用電源１１からの電力の供給の停止が検出された場合、この通常通信モードから、停電情報である入出力信号を通信する停電通信モードに、切り換える。停電情報とは、例えば、表示手段１４の表示を消去する等の情報である。
【００１７】
次に、本実施の形態１に係る電気炊飯器１の動作について説明する。図４は、実施の形態１に係る電気炊飯器１の動作を示すフローチャートである。図４に示すように、先ず、入力手段１３が操作されて、炊飯設定が行われる（ステップＳ１）。炊飯設定では、炊飯する米種（白米、玄米、無洗米等）の設定、炊き方（やわらかめ、かため）等の設定を行う。次に、入力手段１３に設けられた炊飯キーが押下される（ステップＳ２）と、予熱工程が開始される（ステップＳ３）。予熱工程では５０度程度まで加熱して、米の吸水を促進させる。そして、予熱開始後、一定時間が経過すると、高い火力を投入して沸騰させた後ドライアップを行う炊飯工程が開始され（ステップＳ４）、その後、むらし工程が行われる（ステップＳ５）。むらし工程の終了後、保温の有無が判断され（ステップＳ６）、保温有りと判断される場合（ステップＳ６のＹｅｓ）には、保温工程が開始される（ステップＳ７）。一方、ステップＳ６において、保温なしと判断される場合（ステップＳ６のＮｏ）には、動作が終了する。
【００１８】
次に、本実施の形態１に係る電気炊飯器１の作用について説明する。図５は、実施の形態１における信号の切り換えの動作を示すフローチャート、図６は、実施の形態１に係る電気炊飯器１の動作を示すタイミングチャートである。図５に示すように、先ず、第１の制御部２１は、停電が検知されたか否かを判断する（ステップＳ１１）。ここで、停電の検知手段について説明する。図６に示すように、停電検知部１７は、商用電源１１から電力が供給されているとき、一定のパルス信号を生成し、このパルス信号を第１の制御部２１に出力している。そして、第１の制御部２１は、このパルス信号の出力が所定の時間ｂ以上停止すると、商用電源１１からの電力の供給が停止したと判断し、停電を検出する。図５のステップＳ１１において、第１の制御部２１によって、停電が検知されていない場合は、再びステップＳ１１が実行される（ステップＳ１１のＮｏ）。これに対し、ステップＳ１１において、第１の制御部２１によって、停電が検知されると、次のステップＳ１２に進む（ステップＳ１１のＹｅｓ）。
【００１９】
次のステップＳ１２では、ステップＳ１１における停電検知をきっかけに、通信切換部２１ａにおいて第１の制御部２１と第２の制御部２２との間で行われている通常通信モードが、停電通信モードに切り換えられる。その後送信用信号線２３において、入出力信号がＬｏレベルに設定されて出力される（ステップＳ１３）。この入出力信号が出力されてから所定の時間ｃが経過した後、第１の制御部２１から、割り込み信号線２６を介して、ＨｉレベルからＬｏレベルに変更された割り込み信号が第２の制御部２２へ出力される（ステップＳ１４）。割り込み信号の立下りのタイミングにおいて、送信用信号線２３における入出力信号のレベルが第２の制御部２２によって検出される（ステップＳ１５）。この入出力信号のレベルが、図６に示すようにＬｏレベルの場合、例えば表示手段１４の表示を消去するといった表示手段１４に表示される情報を制御する第１処理が行われる。また、この入出力信号のレベルが、Ｈｉレベルの場合、第１処理とは別の処理である第２処理が行われる。
【００２０】
その後、図６に示すように、停電検知部１７によるパルス信号が復帰され、このパルス信号の第１の制御部２１への出力が、所定の時間ｄ以上連続して行われると、第１の制御部２１は、停電から復旧したものと判断する。通信切換部２１ａは、停電からの復旧により停電通信モードから通常通信モードに切り換え、第２の制御部２２へ表示手段１４の表示命令を出力する。
【００２１】
以上のとおり、本実施の形態１は、通信切換部２１ａによって、送信用信号線２３、受信用信号線２４及びクロック信号線２５における通常通信モードを、停電通信モードに切り換える。そして、通信モードが切り換えられた信号線において、入出力信号の出力を行うことによって、第２の制御部２２は、停電のような異常事態が発生したことを認識することができる。このため、本実施の形態１は、異常事態が発生した場合における異常信号を通信するために、従来のように、これらの信号線以外に、異常信号の通信に用いられる専用の線路を設ける必要がない。従って、本実施の形態１は、線路数を削減することによる回路の簡略化及び基板の小型化を図り、且つ部品点数の削減を行うことができる。
【００２２】
図７は、第１変形例に係る電気炊飯器１の動作を示すタイミングチャート、図８は、第２変形例に係る電気炊飯器１の動作を示すタイミングチャートである。本実施の形態１においては、図６に示すように、送信用信号線２３における入出力信号のみ変化させているが、第１変形例として、図７に示すように、受信用信号線２４における入出力信号を変化させてもよいし、第２変形例として、図８に示すように、クロック信号線２５における入出力信号を変化させてもよい。これらの第１変形例及び第２変形例においても、本実施の形態１と同様の効果を奏する。
【００２３】
実施の形態２．
次に、実施の形態２に係る電気炊飯器１について説明する。図９は、実施の形態２における信号の切り換えの動作を示すフローチャート、図１０は、実施の形態２における入出力信号の組み合わせを示す図である。本実施の形態２は、その構成が、実施の形態１と同様であり、その動作についても、図９に示すステップＳ１４までは、実施の形態１と共通する。そして、実施の形態１は、図５のステップＳ１５において、第２の制御部２２は、送信用信号線２３のみの入出力信号のレベルを検出しているのに対し、本実施の形態２は、図９のステップＳ２１以降において、第２の制御部２２が、送信用信号線２３、受信用信号線２４及びクロック信号線２５の全ての入出力信号のレベルを検出している点で、実施の形態１と相違する。本実施の形態２では、実施の形態１と共通する部分は同一の符号を付して説明を省略し、この実施の形態１との相違点を中心に説明する。
【００２４】
本実施の形態２では、図９に示すように、第１の制御部２１から、ＨｉレベルからＬｏレベルに変更された割り込み信号が出力された後に、第２の制御部２２によって、先ず、送信用信号線２３における入出力信号のレベルが検出される（ステップＳ２１）。この入出力信号のレベルがＬｏレベルの場合、次に、受信用信号線２４における入出力信号のレベルが検出される（ステップＳ２２）。この入出力信号のレベルもＬｏレベルの場合、更に、クロック信号線２５における入出力信号のレベルが検出される（ステップＳ２３）。この入出力信号のレベルもＬｏレベルの場合、第１処理が実施される。一方、ステップＳ２３における入出力信号のレベルがＨｉレベルの場合、第５処理が行われる。また、ステップＳ２２において、受信用信号線２４における入出力信号のレベルがＨｉレベルであることが検出された場合、クロック信号線２５における入出力信号のレベルが検出される（ステップＳ２４）。この入出力信号のレベルがＬｏレベルの場合、第３処理が実施される。一方、ステップＳ２４における入出力信号のレベルがＨｉレベルの場合、第７処理が行われる。
【００２５】
また、ステップＳ２１において、送信用信号線２３における入出力信号のレベルがＨｉレベルであることが検出された場合、受信用信号線２４における入出力信号のレベルが検出される（ステップＳ２５）。この入出力信号のレベルがＬｏレベルの場合、クロック信号線２５における入出力信号のレベルが検出される（ステップＳ２６）。この入出力信号のレベルもＬｏレベルの場合、第２処理が実施される。一方、ステップＳ２６における入出力信号のレベルがＨｉレベルの場合、第６処理が行われる。また、ステップＳ２５において、受信用信号線２４における入出力信号のレベルがＨｉレベルであることが検出された場合、クロック信号線２５における入出力信号のレベルが検出される（ステップＳ２７）。この入出力信号のレベルがＬｏレベルの場合、第４処理が実施される。一方、ステップＳ２７における入出力信号のレベルがＨｉレベルの場合、第８処理が行われる。これらの送信用信号線２３、受信用信号線２４及びクロック信号線２５における入出力信号のレベルの組み合わせは、図１０に示すとおりである。
【００２６】
このように、本実施の形態２は、３本の線路における入出力信号のレベルの組み合わせに基づいて、第１処理から第８処理までの８種類の処理を実行することができる。従って、本実施の形態２は、本実施の形態１で得られる効果に加え、多様な処理を行うことができるという効果を奏する。
【００２７】
実施の形態３．
次に、実施の形態３に係る電気炊飯器１について説明する。図１１は、実施の形態３に係る電気炊飯器１の動作を示すタイミングチャートである。本実施の形態３は、その構成が、実施の形態１と同様であり、動作が、実施の形態１と相違する。本実施の形態３では、実施の形態１と共通する部分は同一の符号を付して説明を省略し、この実施の形態１との相違点を中心に説明する。
【００２８】
本実施の形態３では、図１１に示すように、停電検知部１７によるパルス信号の生成及び送信は継続されており、従って、停電は発生していない。この場合、入力手段１３からの入力信号が最後に出力されてから、出力されない状態が、所定の時間ａだけ続くと、第１の制御部２１は、使用者が入力手段１３を操作していないことを認識して、電気炊飯器１を省電力モードに移行させる。具体的には、ＨｉレベルからＬｏレベルに設定された割り込み信号が、第２の制御部２２に出力される。そして、第２の制御部２２によって、割り込み信号の立下りが検出されると、表示手段１４への信号の出力を停止させて、表示手段１４の表示の更新の間隔を伸ばす（表示の更新時に電力が消費される）と共に、第２の制御部２２自体を、消費電力が少ない省電力モードに移行させる。
【００２９】
その後、使用者による入力手段１３の操作、又は所定時間が経過したことによる時計の更新等の際、ＬｏレベルからＨｉレベルに設定された割り込み信号が、第２の制御部２２に出力される。このように、割り込み信号の立上りが、第２の制御部２２によって検出されたとき、第２の制御部２２は、第２の制御部２２自体を省電力モードから通常モードに復帰させる。また、この通常モードへの復帰が、使用者による入力手段１３の操作に起因するものである場合、その操作に対応する処理が実行される。
【００３０】
このように、本実施の形態３は、入力手段１３が操作されない状態が続くと、電気炊飯器１を省電力モードに移行させる。このため、本実施の形態３は、省エネルギに資する。
【符号の説明】
【００３１】
１  電気炊飯器、３  本体、４  内鍋、５  蓋体、６  蓋開閉ボタン、７  内蓋、８  蓋センサ、９  カートリッジ、１１  商用電源、１２  直流電源、１３  入力手段、１４  表示手段、１５  加熱手段、１６  温度検出手段、１７  停電検知部、１８  バックアップ電源、２１  第１の制御部、２１ａ  通信切換部、２２  第２の制御部、２３  送信用信号線、２４  受信用信号線、２５  クロック信号線、２６  割り込み信号線、５１  第１の制御部、５２  第２の制御部、５３  送信用信号線、５４  受信用信号線、５５  クロック信号線、５６  割り込み信号線、５７  第１の保護信号線、５８  第２の保護信号線。
【図１】
2015002944.tif 000003
【図２】
2015002944.tif 000004
【図３】
2015002944.tif 000005
【図４】
2015002944.tif 000006
【図５】
2015002944.tif 000007
【図６】
2015002944.tif 000008
【図７】
2015002944.tif 000009
【図８】
2015002944.tif 000010
【図９】
2015002944.tif 000011
【図１０】
2015002944.tif 000012
【図１１】
2015002944.tif 000013
【図１２】
2015002944.tif 000014